(57)【要約】【課題】ＤＡコンバータ電流源の出力電流にバラツキが発生しても、安定した中心電圧を得る。【解決手段】第１デコーダ１００のデコード値で出力電流をオン，オフする第１ＤＡコンバータ電流源１−１，１−２，・・・１−ｎ、この出力電流を電圧変換する負荷抵抗１０１、第１電流経路の第１オフセット電流Ｉ１を受け負荷抵抗１０１の電圧をレベルシフトする第１オフセット抵抗１０２、第２デコーダ２００のデコード値で出力電流をオン，オフする第２ＤＡコンバータ電流源２−１，・・・２−ｎ、この出力電流を電圧変換する負荷抵抗２０１、第２電流経路の第２オフセット電流Ｉ２を受け負荷抵抗２０１の電圧をレベルシフトする第２オフセット抵抗２０２、レベルシフト電圧と基準電圧を比較し出力電圧を変える電圧比較回路３００、この出力電圧で第１，第２オフセット電流Ｉ１，Ｉ２の電流量を変える第１，第２カレントミラー回路４０１，４０２を備える。【選択図】図１
2007201770.tif 000002
【特許請求の範囲】
【請求項１】
Ｎビットのデジタルデータ入力を受けて所定のコードにデコードする第１のデコーダと、前記第１のデコーダのデコード値によって、電流出力をオンあるいはオフする複数配置された第１のＤＡコンバータ電流源と、前記第１のＤＡコンバータ電流源の出力電流を電圧変換する第１の負荷抵抗と、第１の電流経路より流入する第１のオフセット電流を受けて前記第１の負荷抵抗で電圧変換された電圧をレベルシフトする第１のオフセット抵抗と、前記第１のＤＡコンバータ電流源と同一構成で複数配置された第２のＤＡコンバータ電流源と、前記第２のＤＡコンバータ電流源をオンあるいはオフする第２のデコーダと、前記第２のＤＡコンバータ電流源の出力電流を電圧変換する第２の負荷抵抗と、第２の電流経路より流入する第２のオフセット電流を受けて前記第２の負荷抵抗で電圧変換された電圧をレベルシフトする第２のオフセット抵抗と、前記第２のオフセット抵抗でレベルシフトされた電圧を受けて、基準電圧と比較し、その比較結果によって出力電圧を変化する電圧比較回路と、前記電圧比較回路の出力電圧により前記第１，第２の電流経路に流す前記第１，第２のオフセット電流の電流量を変化させる第１，第２のカレントミラー回路とを備えたことを特徴とするＩ／Ｖ変換回路。
【請求項２】
前記第１のＤＡコンバータ電流源の電流が前記第２のＤＡコンバータ電流源の電流の２ｍ倍（ｍは整数）であり、前記第２の負荷抵抗の抵抗値が前記第１の負荷抵抗の抵抗値のｍ倍であることを特徴とする請求項１記載のＩ／Ｖ変換回路。
【請求項３】
請求項１または２記載のＩ／Ｖ変換回路と、アナログ信号に変換すべきデジタル信号の値に対応する合計電流を発生する電流発生回路とを備えたことを特徴とするＤＡコンバータ。
【発明の詳細な説明】
【技術分野】
【０００１】
本発明は、デジタル信号に応じて、電流源から供給される合計電流を電圧に変換するＩ／Ｖ（電流／電圧）変換回路およびこれを用いたＤＡコンバータに関するものである。
【背景技術】
【０００２】
近年、半導体集積回路の微細化技術の向上により従来のアナログ処理システムのデジタル処理化が進んでいる。デジタル処理システムにおいては、システムの入出力信号はアナログ信号であることが多く、デジタル信号をアナログ信号に変換するＤＡコンバータはデジタル処理システムにおいて必要不可欠なものとしてその重要性がますます高まっている。
【０００３】
図３は従来のＩ／Ｖ変換回路およびＤＡコンバータの回路構成を示す図である。図３を用いて、従来のＩ／Ｖ変換回路およびＤＡコンバータについて説明する。図３に示すＩ／Ｖ変換回路およびＤＡコンバータの回路構成は、Ｎビットのデジタルデータ入力端子（Ｄａｔａｉｎ）９０、デコーダ１００、電流Ｉｄ１−１，Ｉｄ１−２，・・・Ｉｄ１−ｎを流す複数のＤＡコンバータ電流源１−１，１−２，・・・１−ｎ、負荷抵抗１０１、オフセット抵抗１０２、電流経路にオフセット電流Ｉ１を流す定電流源５０１を有する。
【０００４】
前記ＤＡコンバータ電流源は、定電流源３０と切替スイッチ３１から構成される。切替スイッチ３１にはデコーダ１００からオンあるいはオフする制御信号が供給される。ここで定電流源３０は、電源１０と切替スイッチ３１との間に接続されている。また、切替スイッチ３１はグランドと負荷抵抗１０１との接続を切替可能に接続されている。
【０００５】
また、負荷抵抗１０１は、オフセット抵抗１０２とグランドとの間に接続されており、オフセット抵抗１０２は、アナログ信号出力電圧Ｖｏｕｔ１と負荷抵抗１０１との間に接続されている。また、定電流源５０１は電源２０とアナログ信号出力電圧Ｖｏｕｔ１との間に接続されている。
【０００６】
図３を参照しながら従来のＩ／Ｖ変換回路およびＤＡコンバータの動作を詳細に説明する。ＤＡコンバータ電流源を構成している切替スイッチ３１は、デコーダ１００に入力されるＮビットのデジタルデータからデコードされた値に応じて、負荷抵抗１０１側またはグランド側のいずれかに設定される。これにより負荷抵抗１０１に流入する合計電流Ｉｄａｃ１を変化させ、アナログ信号に変換すべきデジタル信号の値に対応する電流を発生する。
【０００７】
入力されたデジタル信号の値に対応する合計電流Ｉｄａｃ１は負荷抵抗１０１（抵抗値ＲＬ）によりＩ／Ｖ変換されると同時に、定電流源５０１より流入するオフセット電流Ｉ１とオフセット抵抗１０２（抵抗値ＲＯ）によりレベルシフトされて、図４のグラフに示すように、アナログ信号出力電圧Ｖｏｕｔ１は、
Ｖｏｕｔ１＝ＲＬ×Ｉｄａｃ１＋（ＲＬ＋ＲＯ）×Ｉ１
として出力される。
【０００８】
従来例における電流加算型のＤＡコンバータ回路は、変換精度の面から見た場合、各ＤＡコンバータ電流源の出力電流の大きさは全て等しいことが理想的である。しかし実際には、製造プロセスに起因してトランジスタ特性にバラツキが生じ、各ＤＡコンバータ電流源の出力電流の大きさは一定とならない。加えて、温度等の変化によってもＤＡコンバータ電流源の出力電流の大きさは変化してしまい、アナログ信号出力電圧Ｖｏｕｔ１から出力される信号の電圧や振幅にはバラツキが生じてしまう。
【０００９】
例えば、製造プロセスのバラツキや温度等によって、ＤＡコンバータの電流源から出力される電流量が増加した場合について、図４を用いて説明する。ここで、入力されたデジタル信号の値に対応する合計電流Ｉｄａｃ１は、通常時０〜１［ｍＡ］で変化し、アナログ信号出力電圧Ｖｏｕｔ１は通常時１〜２［Ｖ］で変化するものとする。その際、出力信号の中心電圧は１．５［Ｖ］である。また、負荷抵抗１０１（抵抗値ＲＬ），オフセット抵抗１０２（抵抗値ＲＯ），定電流源５０１より流入するオフセット電流Ｉ１は製造プロセスのバラツキや温度等によって、変化しないものとする。
【００１０】
各ＤＡコンバータ電流源の出力電流が１０％増加した場合、入力されたデジタル信号の値に対応する合計電流Ｉｄａｃ１は、０〜１．１［ｍＡ］で変化することになる。その場合のアナログ信号出力電圧Ｖｏｕｔ１は１〜２．１［Ｖ］で変化する。その際、出力信号の中心電圧は１．５５［Ｖ］であり、通常時に比べ３．３３％増加している。
【００１１】
ここで、ＤＡコンバータ回路を用いる例として、液晶表示装置を考えると、液晶表示装置においては映像信号の中心電圧がもっとも重要である。これは、映像信号の中心電圧のバラツキはフリッカ現象と呼ばれる画質劣化の原因となる。液晶表示装置における映像信号処理にＤＡコンバータを用いた場合、前述の製造プロセスのバラツキや温度等によって、出力信号の中心電圧がバラツキ、画質劣化が発生するという問題があった。
【００１２】
また、特許文献１に開示されたＩ／Ｖ変換回路およびＤＡコンバータは、ＤＡコンバータ電流源に用いられているカレントミラー回路のＰＭＯＳトランジスタのソース・ドレイン間の電圧Ｖｄｓが一定になるように回路構成することにより、電圧Ｖｄｓの変化によるリニアリティ不良を解消したものであり、製造プロセスのバラツキや温度等による出力信号の中心電圧のバラツキには対応できていなかった。
【特許文献１】特開２００２−１１８４６８号公報
【発明の開示】
【発明が解決しようとする課題】
【００１３】
本発明は、前記背景技術の問題を解決することに指向するものであり、製造プロセスのバラツキや温度等によってＤＡコンバータ電流源の出力電流にバラツキが発生しても、安定した中心電圧を得ることができるＩ／Ｖ変換回路およびＤＡコンバータを提供することを目的とする。
【課題を解決するための手段】
【００１４】
前記の目的を達成するために、本発明に係るＩ／Ｖ変換回路は、Ｎビットのデジタルデータ入力を受けて所定のコードにデコードする第１のデコーダと、第１のデコーダのデコード値によって、電流出力をオンあるいはオフする複数配置された第１のＤＡコンバータ電流源と、第１のＤＡコンバータ電流源の出力電流を電圧変換する第１の負荷抵抗と、第１の電流経路より流入する第１のオフセット電流を受けて第１の負荷抵抗で電圧変換された電圧をレベルシフトする第１のオフセット抵抗と、第１のＤＡコンバータ電流源と同一構成で複数配置された第２のＤＡコンバータ電流源と、第２のＤＡコンバータ電流源をオンあるいはオフする第２のデコーダと、第２のＤＡコンバータ電流源の出力電流を電圧変換する第２の負荷抵抗と、第２の電流経路より流入する第２のオフセット電流を受けて第２の負荷抵抗で電圧変換された電圧をレベルシフトする第２のオフセット抵抗と、第２のオフセット抵抗でレベルシフトされた電圧を受けて、基準電圧と比較し、その比較結果によって出力電圧を変化する電圧比較回路と、電圧比較回路の出力電圧により第１，第２の電流経路に流す第１，第２のオフセット電流の電流量を変化させる第１，第２のカレントミラー回路とを備えたことを特徴とする。
【００１５】
さらに、第１のＤＡコンバータ電流源の電流が第２のＤＡコンバータ電流源の電流の２ｍ倍（ｍは整数）であり、第２の負荷抵抗の抵抗値が第１の負荷抵抗の抵抗値のｍ倍であることを特徴とする。
【００１６】
また、ＤＡコンバータは、請求項１または２記載のＩ／Ｖ変換回路と、アナログ信号に変換すべきデジタル信号の値に対応する合計電流を発生する電流発生回路とを備えたことを特徴とする。
【００１７】
前記構成によれば、製造プロセスのバラツキや温度等によってＤＡコンバータ電流源の出力電流にバラツキが発生した際、基準電圧との電位差を検出し、その差電圧に応じてオフセット電流の電流量を可変することにより、安定した出力信号の中心電圧を得ることができる。
【発明の効果】
【００１８】
本発明によれば、製造プロセスのバラツキや温度等によってＤＡコンバータ電流源の出力電流にバラツキが発生した際、基準電圧との電位差を検出し、その差電圧に応じてオフセット電流の電流量を可変することにより、安定した出力信号の中心電圧を得ることができ、映像表示装置にＤＡコンバータを使用する際、表示画面上にフリッカ現象を生じず、優れた表示画質を有する映像表示装置を実現するＩ／Ｖ変換回路およびＤＡコンバータを提供することができるという効果を奏する。
【発明を実施するための最良の形態】
【００１９】
以下、図面を参照して本発明における実施の形態を詳細に説明する。
【００２０】
図１は本発明の実施の形態におけるＩ／Ｖ変換回路およびＤＡコンバータの回路構成を示す図である。ここで、前記従来例を示す図３において説明した構成部材に対応し実質的に同等の機能を有するものには同一の符号を付して示し、その説明を簡略にする。
【００２１】
図１に示す本実施の形態のＩ／Ｖ変換回路およびＤＡコンバータは、Ｎビットのデジタルデータ入力端子（Ｄａｔａｉｎ）９０、第１デコーダ１００、電流Ｉｄ１−１，Ｉｄ１−２，・・・Ｉｄ１−ｎを流す複数の第１ＤＡコンバータ電流源１−１，１−２，・・・１−ｎ、負荷抵抗１０１、オフセット抵抗１０２を有する。また、第１ＤＡコンバータ電流源と同一構成であり、電流Ｉｄ２−１，・・・Ｉｄ２−ｎを流す複数の第２ＤＡコンバータ電流源２−１，・・・２−ｎ、それを制御する第２デコーダ２００、負荷抵抗２０１、オフセット抵抗２０２、電圧比較回路３００、電圧比較回路３００の出力電圧によって第１電流経路に第１オフセット電流Ｉ１を流すカレントミラー回路４０１、電圧比較回路３００の出力電圧によって第２電流経路に第２オフセット電流Ｉ２を流すカレントミラー回路４０２を有する。
【００２２】
第１ＤＡコンバータ電流源１−１，１−２，・・・１−ｎは、定電流源３０と切替スイッチ３１から構成される。切替スイッチ３１には第１デコーダ１００からオンあるいはオフする制御信号が供給される。ここで、定電流源３０は電源１０と切替スイッチ３１との間に接続されている。また、切替スイッチ３１はグランドと負荷抵抗１０１との接続を切替可能に接続されている。負荷抵抗１０１は、オフセット抵抗１０２とグランドとの間に接続されており、オフセット抵抗１０２は、アナログ信号出力電圧Ｖｏｕｔ１と負荷抵抗１０１との間に接続されている。
【００２３】
第２ＤＡコンバータ電流源２−１，・・・２−ｎは、定電流源４０と切替スイッチ４１から構成される。切替スイッチ４１には第２デコーダ２００からオンあるいはオフする制御信号が供給される。ここで、定電流源４０は、電源１０と切替スイッチ４１との間に接続されている。また、切替スイッチ４１はグランドと負荷抵抗２０１との接続を切替可能に接続されている。負荷抵抗２０１は、オフセット抵抗２０２とグランドとの間に接続されており、オフセット抵抗２０２は、出力電圧Ｖｏｕｔ２と負荷抵抗２０１との間に接続されている。
【００２４】
図１および図２を参照しながらＩ／Ｖ変換回路およびＤＡコンバータを説明する。
【００２５】
第１ＤＡコンバータ電流源１−１，１−２，・・・１−ｎを構成している切替スイッチ３１は、第１デコーダ１００に入力されるＮビットのデジタルデータからデコードされた値に応じて、負荷抵抗１０１側またはグランド側のいずれかに設定される。これにより負荷抵抗１０１に流入する合計電流Ｉｄａｃ１を変化させ、アナログ信号に変換すべきデジタル信号の値に対応する電流を発生する。
【００２６】
入力されたデジタル信号の値に対応する合計電流Ｉｄａｃ１は負荷抵抗１０１（抵抗値ＲＬ）によりＩ／Ｖ変換されると同時に、第１電流経路より流入する第１オフセット電流Ｉ１とオフセット抵抗１０２（抵抗値ＲＯ）によりレベルシフトされて、アナログ信号出力電圧Ｖｏｕｔ１として出力される。
【００２７】
また、第２ＤＡコンバータ電流源２−１，・・・２−ｎを構成している切替スイッチ４１は、第２デコーダ２００からの制御信号に応じて、負荷抵抗２０１側またはグランド側のいずれかに設定される。これにより負荷抵抗２０１に流入する合計電流Ｉｄａｃ２が発生する。合計電流Ｉｄａｃ２は負荷抵抗２０１（抵抗値ＲＭ）によりＩ／Ｖ変換されると同時に、第２電流経路より流入する第２オフセット電流Ｉ２とオフセット抵抗２０２（抵抗値ＲＰ）によりレベルシフトされて、出力電圧Ｖｏｕｔ２として出力される。
【００２８】
電圧比較回路３００は出力電圧Ｖｏｕｔ２と基準電圧Ｖｂとの電位差を比較し、その差電圧により出力電圧を変化する。カレントミラー回路４０１は電圧比較回路３００の出力電圧により第１電流経路に第１オフセット電流Ｉ１を流す。カレントミラー回路４０２は電圧比較回路３００の出力電圧により第２電流経路に第２オフセット電流Ｉ２を流す。
【００２９】
本実施の形態では、第１ＤＡコンバータ電流源１−１，１−２，・・・１−ｎから出力される合計電流Ｉｄａｃ１は、入力されるデジタルデータによってＩｍｉｎ〜Ｉｍａｘまで変化するとした場合、アナログ信号出力電圧Ｖｏｕｔ１が中心電圧（基準電圧Ｖｂ）となる時の、第１ＤＡコンバータ電流源から出力される合計電流Ｉｄａｃ１は、（Ｉｍａｘ−Ｉｍｉｎ）／２となる。また、第２ＤＡコンバータ電流源２−１，・・・２−ｎから出力される合計電流Ｉｄａｃ２は（Ｉｍａｘ−Ｉｍｉｎ）／（２×ｍ）となるように設定する。その際、負荷抵抗１０１（抵抗値ＲＬ）と負荷抵抗２０１（抵抗値ＲＭ）の抵抗値の関係は、ＲＬ×ｍ＝ＲＭとなるように設定する。さらに、第１電流経路に流入する第１オフセット電流Ｉ１と第２電流経路に流入する第２オフセット電流Ｉ２の電流量の関係がＩ１＝Ｉ２となるように設定した場合、負荷抵抗１０１（抵抗値ＲＬ）とオフセット抵抗１０２（抵抗値ＲＯ）の合計の抵抗値と、負荷抵抗２０１（抵抗値ＲＭ）とオフセット抵抗２０２（抵抗値ＲＰ）の合計の抵抗値の関係は、
ＲＬ＋ＲＯ＝ＲＭ＋ＲＰ
となるように設定する。
【００３０】
本実施の形態での出力電圧Ｖｏｕｔ２は、
Ｖｏｕｔ２＝ＲＭ×Ｉｄａｃ２＋（ＲＭ＋ＲＰ）×Ｉ２
で表される。ここで、
ＲＭ＝ＲＬ×ｍ、ＲＬ＋ＲＯ＝ＲＭ＋ＲＰ、Ｉ１＝Ｉ２
とすると、
Ｖｏｕｔ２＝ＲＬ×ｍ×Ｉｄａｃ２＋（ＲＬ＋ＲＯ）×Ｉ１
であり、第１オフセット電流Ｉ１にて整理すると、
Ｉ１＝（Ｖｏｕｔ２−ＲＬ×ｍ×Ｉｄａｃ２）／（ＲＬ＋ＲＯ）
となる。
【００３１】
本実施の形態でのアナログ信号出力電圧Ｖｏｕｔ１は、
Ｖｏｕｔ１＝ＲＬ×Ｉｄａｃ１＋（ＲＬ＋ＲＯ）×Ｉ１
＝ＲＬ×Ｉｄａｃ１＋Ｖｏｕｔ２−ＲＬ×ｍ×Ｉｄａｃ２
となる。アナログ信号出力電圧Ｖｏｕｔ１が中心電圧となる時の、第１ＤＡコンバータ電流源から出力される合計電流Ｉｄａｃ１は（Ｉｍａｘ−Ｉｍｉｎ）／２であり、第２ＤＡコンバータ電流源から出力される合計電流Ｉｄａｃ２は（Ｉｍａｘ−Ｉｍｉｎ）／（２×ｍ）であるので、アナログ信号出力電圧Ｖｏｕｔ１は、
Ｖｏｕｔ１＝ＲＬ×（Ｉｍａｘ−Ｉｍｉｎ）／２
＋Ｖｏｕｔ２−ＲＬ×ｍ×（Ｉｍａｘ−Ｉｍｉｎ）／（２×ｍ）
＝Ｖｏｕｔ２
として出力される。出力電圧Ｖｏｕｔ２は基準電圧Ｖｂと等しくなるようになることから、アナログ信号出力電圧Ｖｏｕｔ１＝基準電圧Ｖｂとなり、
アナログ信号出力電圧Ｖｏｕｔ１は基準電圧Ｖｂからのみ出力電圧が決まり、製造プロセスのバラツキや温度等によるＤＡコンバータ電流源から出力される電流量のバラツキには依存しないことがわかる。
【００３２】
第１ＤＡコンバータ電流源から出力される電流量が、製造プロセスのバラツキや温度等によって変化した場合、第２ＤＡコンバータ電流源２−１，・・・２−ｎから出力される電流量は、同一構成である第１ＤＡコンバータ電流源１−１，１−２，・・・１−ｎから出力される電流量と同様の変化をする。
【００３３】
第１ＤＡコンバータ電流源１−１，１−２，・・・１−ｎから出力される電流量がΔＩだけ減少した場合、アナログ信号出力電圧Ｖｏｕｔ１の中心電圧がΔＶだけ電圧が下がる。第２ＤＡコンバータ電流源２−１，・・・２−ｎから出力される電流量はΔＩ／ｍだけ減少し、出力電圧Ｖｏｕｔ２はΔＶだけ電圧が下がる。電圧比較回路３００に入力される出力電圧Ｖｏｕｔ２の電圧が下がるため、基準電圧Ｖｂとの電圧を比較し、その差電圧に応じて出力電圧を変化させ、第２の電流経路に流す第２オフセット電流Ｉ２を増加させる。
【００３４】
第２オフセット電流Ｉ２が増加することにより出力電圧Ｖｏｕｔ２の電圧が上がる。この動作は出力電圧Ｖｏｕｔ２＝基準電圧Ｖｂとなるまで繰り返される。電圧比較回路３００の出力電圧が変化すると、第１電流経路に流す第１オフセット電流Ｉ１は第２電流経路に流す第２オフセット電流Ｉ２と同様に増加する。出力電圧Ｖｏｕｔ２＝基準電圧Ｖｂとなる第２オフセット電流Ｉ２の時には、アナログ信号出力電圧Ｖｏｕｔ１＝基準電圧Ｖｂとなる。
【００３５】
また、第１ＤＡコンバータ電流源１−１，１−２，・・・１−ｎから出力される電流量がΔＩだけ増加した場合、アナログ信号出力電圧Ｖｏｕｔ１の中心電圧がΔＶだけ電圧が上がる。第２ＤＡコンバータ電流源２−１，・・・２−ｎから出力される電流量はΔＩ／ｍだけ増加し、出力電圧Ｖｏｕｔ２はΔＶだけ電圧が上がる。電圧比較回路３００に入力される出力電圧Ｖｏｕｔ２の電圧が上がるため、基準電圧Ｖｂとの電圧を比較し、その差電圧に応じて出力電圧を変化させ、第２電流経路に流す第２オフセット電流Ｉ２を減少させる。第２オフセット電流Ｉ２が減少することにより出力電圧Ｖｏｕｔ２の電圧が下がる。この動作は出力電圧Ｖｏｕｔ２＝基準電圧Ｖｂとなるまで繰り返される。
【００３６】
電圧比較回路３００の出力電圧が変化すると、第１電流経路に流す第１オフセット電流Ｉ１は第２電流経路に流す第２オフセット電流Ｉ２と同様に減少する。出力電圧Ｖｏｕｔ２＝基準電圧Ｖｂとなる第２オフセット電流Ｉ２の時には、アナログ信号出力電圧Ｖｏｕｔ１＝基準電圧Ｖｂとなる。
【００３７】
例えば、製造プロセスのバラツキや温度等によって、ＤＡコンバータ電流源から出力される電流量が増加した場合について、図２を用いて説明する。ここで、入力されたデジタル信号の値に対応する合計電流Ｉｄａｃ１は、通常時０〜１［ｍＡ］で変化し、アナログ信号出力電圧Ｖｏｕｔ１は通常時１〜２［Ｖ］で変化するものとする。合計電流Ｉｄａｃ２を０．５［ｍＡ］とし、出力電圧Ｖｏｕｔ２を１．５［Ｖ］とする。その際、出力信号の中心電圧は１．５［Ｖ］である。
【００３８】
また、基準電圧Ｖｂは通常時の出力信号の中心電圧である１．５［Ｖ］とする。ここでは、負荷抵抗１０１（抵抗値ＲＬ）や負荷抵抗２０１（抵抗値ＲＭ）やオフセット抵抗１０２（抵抗値ＲＯ）やオフセット抵抗２０２（抵抗値ＲＰ）や基準電圧Ｖｂは製造プロセスのバラツキや温度等によって、変化しないものとする。
【００３９】
各ＤＡコンバータ電流源の出力電流が１０％増加した場合、入力されたデジタル信号の値に対応する合計電流Ｉｄａｃ１は、０〜１．１［ｍＡ］で変化することになる。その場合のアナログ信号出力電圧Ｖｏｕｔ１は１〜２．１［Ｖ］で変化する。その際、アナログ信号出力電圧Ｖｏｕｔ１の中心電圧は１．５５［Ｖ］となる。また、合計電流Ｉｄａｃ２は０．５５［ｍＡ］となり、その場合の出力電圧Ｖｏｕｔ２は１．５５［Ｖ］となるが、電圧比較回路３００により基準電圧Ｖｂ＝１．５［Ｖ］と比較し、その出力電圧を変化させ、出力電圧Ｖｏｕｔ２が−０．０５［Ｖ］となるように第２の電流経路に流入する第２オフセット電流Ｉ２を調整し、その結果、出力電圧Ｖｏｕｔ２は１．５［Ｖ］となる。その際、第１電流経路に流入する第１オフセット電流Ｉ１も第２オフセット電流Ｉ２と同様に−０．０５［Ｖ］となるように電流量を調整し、その結果、アナログ信号出力電圧Ｖｏｕｔ１の中心電圧は１．５［Ｖ］となり、通常時と変わらない安定した中心電圧を得ることができる。
【００４０】
また、図１に示す回路構成では、カレントミラー回路としてＰＭＯＳを用いて、本実施の形態のＩ／Ｖ変換回路およびＤＡコンバータを実現する具体例を挙げて説明している。しかし、本発明はこれに限定されず、同じ機能を実現する他の手段を用いて、Ｉ／Ｖ変換回路およびＤＡコンバータを実現してもよい。さらに、本発明の主旨を逸脱しない範囲において、種々の改良や変更をしてもよいことはいうまでもない。
【００４１】
本実施の形態のＩ／Ｖ変換回路およびＤＡコンバータによって、製造プロセスのバラツキや温度等によってＤＡコンバータ電流源の出力電流にバラツキが発生しても安定した中心電圧を得ることができ、表示ピクセルを有する映像表示装置（例えば、液晶表示装置，プラズマディスプレイ，マイクロミラーによる表示装置等）においても、安定した中心電圧にて映像信号を出力できるので、液晶表示装置の表示画面においてフリッカ現象を生じさせることがない。
【産業上の利用可能性】
【００４２】
本発明に係るＩ／Ｖ変換回路およびＤＡコンバータは、製造プロセスのバラツキや温度等によってＤＡコンバータ電流源の出力電流にバラツキが発生した際、基準電圧との電位差を検出し、その差電圧に応じてオフセット電流の電流量を可変することにより、安定した出力信号の中心電圧を得ることができ、映像表示装置に使用する際、表示画面上にフリッカ現象を生じず、優れた表示画質を有する映像表示装置を実現でき、Ｉ／Ｖ変換回路およびＤＡコンバータとして有用である。
【図面の簡単な説明】
【００４３】
【図１】本発明の実施の形態におけるＩ／Ｖ変換回路およびＤＡコンバータの回路構成を示す図
【図２】本実施の形態におけるＤＡコンバータのアナログ信号出力電圧波形を示す図
【図３】従来のＩ／Ｖ変換回路およびＤＡコンバータの回路構成を示す図
【図４】従来のＤＡコンバータのアナログ信号出力電圧波形を示す図
【符号の説明】
【００４４】
１−１，１−２，・・・１−ｎ  第１ＤＡコンバータ電流源
２−１，・・・２−ｎ  第２ＤＡコンバータ電流源
１０，２０  電源
３０，４０  定電流源
３１，４１  切替スイッチ
９０  Ｎビットのデジタルデータ入力端子
１００，２００  デコーダ
１０１，２０１  負荷抵抗
１０２，２０２  オフセット抵抗
３００  電圧比較回路
４０１，４０２  カレントミラー回路
５０１  定電流源
【図１】
2007201770.tif 000003
【図２】
2007201770.tif 000004
【図３】
2007201770.tif 000005
【図４】
2007201770.tif 000006